(57)【要約】【課題】ゴルフボールの飛距離を延ばすためにゴルフボール自体の弾力を保持することができ、しかも、ゴルファーの身体も暖かく保持できる、保温装置を有する携帯用ゴルフボール保温ケースを提供すること。【解決手段】蓋体１２０を有するゴルフボールケース体１１０の内部を薄板体１１２により少なくとも２つの収納空間１１３ａ、１１３ｂに区画し、第１の収納空間１１３ａにはゴルフボール５０を、そして第２の収納空間１１３ｂにはゴルフボール５０の弾力（柔軟性）の保持に必要な加温を行うための熱源１３０を収めることを特徴とする。【選択図】図３
2007105448.tif 000002
【特許請求の範囲】
【請求項１】
ケース蓋体と、
前記ケース蓋体が開閉される両端が開口されている収納空間を備え、前記収納空間は金属製の薄板体により閉塞されて２つの収納空間に区画され、第１の収納空間にはゴルフボールが収納可能であり、且つ、第２の収納空間にはゴルフボールに弾力を与えるための熱源が収納可能であり、前記第２の収納空間に対応するケース体の主壁部には前記第２の収納空間と連絡する多数の通孔が穿設される、金属製筒状のケース体と、
前記第２の収納空間の開口側に脱着自在に結合され、前記通孔を介して流入する空気を媒体とする燃料の燃焼により前記第１の収納空間に収められているゴルフボールを適正温度に保持するための熱を前記第２の収納空間に供給するための熱供給装置と、を備える保温装置を有する携帯用ゴルフボールケース。
【請求項２】
前記薄板体は半円状及び平板状のうちどちらか一方の形状に形成されると共に、その薄板体には複数個の穴がさらに穿設されることを特徴とする請求項１記載の保温装置を有する携帯用ゴルフボールケース。
【請求項３】
前記熱供給装置は、前記第２の収納空間の開口側に脱着自在に嵌着されるように、少なくとも前記第２の収納空間と同径あるいはそれより小径に形成された上部開口型の開口部を有する筒体であり、内部には燃料充填材が内設され、前記開口部を介して液状の燃料を注入可能にする第１の燃料蓄積室と、
上下及び側面の一部が開放されたキャップ状で前記開口部の上部に脱着自在に結合されて前記第１の燃料蓄積室の内部と連絡するように位置し、内部には前記燃料充填材に満たされた燃料から生成されて供給される気化燃料を燃焼する芯体が内設されている第１の炎ギャップと、
前記第１の炎ギャップに脱着自在に結合されて炎を消火する消火用キャップと、を備えることを特徴とする請求項１又は２記載の保温装置を有する携帯用ゴルフボールケース。
【請求項４】
前記第１の炎ギャップの内部には芯体を固定するための固定枠がさらに設けられていることを特徴とする請求項３記載の保温装置を有する携帯用ゴルフボールケース。
【請求項５】
前記芯体は、白金がコーティングされた石綿よりなることを特徴とする請求項３又は４記載の保温装置を有する携帯用ゴルフボールケース。
【請求項６】
前記熱供給装置は、前記第２の収納空間の開口側に脱着自在に嵌着されるように、少なくとも前記第２の収納空間と同径あるいはそれより小径に形成された四方密閉型の筒体であり、上部には内部に満たされている液化ガスを排出するための排出弁が、そして下部には液化ガス充填弁が設けられる第２の燃料蓄積室と、
多数の通孔を有するギャップ状をなし、前記第２の燃料蓄積室の上部に脱着自在に結合されて燃焼用ガスを排出するための排出弁を開くように加圧する第２の炎ギャップと、を備えることを特徴とする請求項１又は２記載の保温装置を有する携帯用ゴルフボールケース。
【発明の詳細な説明】
【技術分野】
【０００１】
本発明は、保温装置を有する携帯用ゴルフボールケースに関し、さらに詳細には、気温が低下する冬季にラウンドをする場合であっても、ゴルフボールそれ自体に柔軟性を持たせる弾力を保持できると共に、ゴルファーの身体も保温できるようにするために、ケースに保温用熱供給装置を一体型に取り付けた保温装置を有する携帯用ゴルフボールケースに関する。
【背景技術】
【０００２】
周知のように、ゴルフボールのティーショットを打つとき、その飛距離は、外部の環境やゴルフボール自体に与えられる温度などによって変わる。特に、冬季など温度が低下する場合、温度の低下はゴルフボール自体の弾力性の低下につながり、これは、ゴルフボールの飛距離に悪影響を及ぼす要因として働く。
【特許文献１】特開平５−２８５２４０号公報（ゴルフボールの保温ケースの点）
【発明の開示】
【発明が解決しようとする課題】
【０００３】
そこで、本発明の課題は、冬季であっても、ゴルフボール自体の弾力を保持することにより、ティーショットを打つときにおける飛距離を延ばすことのできる、保温装置を有する携帯用ゴルフボールケースを提供することにある。
【０００４】
また、本発明の他の課題は、ゴルファーの身体部位も暖かく保持することにより、常時良い調子を保持することのできる、保温装置を有する携帯用ゴルフボールケースを提供することにある。
【０００５】
本発明の他の課題は、以下の記載により明らかとなる。
【課題を解決するための手段】
【０００６】
上記課題は、以下の各発明によって解決される。
【０００７】
請求項１記載の発明は、ケース蓋体と、前記ケース蓋体が開閉される両端が開口されている収納空間を備え、前記収納空間は金属製の薄板体により閉塞されて２つの収納空間に区画され、第１の収納空間にはゴルフボールが収納可能であり、且つ、第２の収納空間にはゴルフボールに弾力を与えるための熱源が収納可能であり、前記第２の収納空間に対応するケース体の主壁部には前記第２の収納空間と連絡する多数の通孔が穿設される、金属製筒状のケース体と、前記第２の収納空間の開口側に脱着自在に結合され、前記通孔を介して流入する空気を媒体とする燃料の燃焼により前記第１の収納空間に収められているゴルフボールを適正温度に保持するための熱を前記第２の収納空間に供給するための熱供給装置と、を備える保温装置を有する携帯用ゴルフボールケースである。
【０００８】
請求項２記載の発明は、前記薄板体は半円状及び平板状のうちどちらか一方の形状に形成されると共に、その薄板体には複数個の穴がさらに穿設されることを特徴とする請求項１記載の保温装置を有する携帯用ゴルフボールケースである。
【０００９】
請求項３記載の発明は、前記熱供給装置は、前記第２の収納空間の開口側に脱着自在に嵌着されるように、少なくとも前記第２の収納空間と同径あるいはそれより小径に形成された上部開口型の開口部を有する筒体であり、内部には燃料充填材が内設され、前記開口部を介して液状の燃料を注入可能にする第１の燃料蓄積室と、上下及び側面の一部が開放されたキャップ状で前記開口部の上部に脱着自在に結合されて前記第１の燃料蓄積室の内部と連絡するように位置し、内部には前記燃料充填材に満たされた燃料から生成されて供給される気化燃料を燃焼する芯体が内設されている第１の炎ギャップと、前記第１の炎ギャップに脱着自在に結合されて炎を消火する消火用キャップと、を備えることを特徴とする請求項１又は２記載の保温装置を有する携帯用ゴルフボールケースである。
【００１０】
請求項４記載の発明は、前記第１の炎ギャップの内部には芯体を固定するための固定枠がさらに設けられていることを特徴とする請求項３記載の保温装置を有する携帯用ゴルフボールケースである。
【００１１】
請求項５記載の発明は、前記芯体は、白金がコーティングされた石綿よりなることを特徴とする請求項３又は４記載の保温装置を有する携帯用ゴルフボールケースである。
【００１２】
請求項６記載の発明は、前記熱供給装置は、前記第２の収納空間の開口側に脱着自在に嵌着されるように、少なくとも前記第２の収納空間と同径あるいはそれより小径に形成された四方密閉型の筒体であり、上部には内部に満たされている液化ガスを排出するための排出弁が、そして下部には液化ガス充填弁が設けられる第２の燃料蓄積室と、多数の通孔を有するギャップ状をなし、前記第２の燃料蓄積室の上部に脱着自在に結合されて燃焼用ガスを排出するための排出弁を開くように加圧する第２の炎ギャップと、を備えることを特徴とする請求項１又は２記載の保温装置を有する携帯用ゴルフボールケースである。
【発明の効果】
【００１３】
本発明によれば、ゴルフボールを収めるケースの内部を温めるための熱供給手段を備えて、温度が低下する寒い季節にゴルフを行う場合であっても、ゴルフボール自体の弾力を保持することにより、ティーショットを打つときにおける飛距離の向上に有効なものである。さらに、ラウンドを行うゴルファーの身体部位も保温することができ、気温が低下する冬季にも最上の調子を保持することができる。
【発明を実施するための最良の形態】
【００１４】
以下、本発明の好適な態様について図面を用いて詳細に説明する。
【００１５】
図１は本発明の外観斜視図であり、図２は図１の分解斜視図であり、図３は図１のＩ−Ｉ線縦断面図であり、図４は本発明の作用状態を示す図である。
【００１６】
図示のとおり、本発明に係る携帯用ゴルフボールケース１００は、両端が開口されている円筒状のケース体１１０を有している。該ケース体１１０は、ゴルファーが着用しているポケットに携帯できるほどのサイズであれば良く、好ましくは、このケース体１１０の周縁部がゴルファーの手に取れるほどである。
【００１７】
ケース体１１０に用いることができる材質としては、伝熱性に優れた金属や非鉄金属製が好ましい。
【００１８】
ケース体１１０の開口の一端には、ケース体１１０の内部を開閉するためのケース蓋体１２０が取り付けられている。ケース蓋体１２０もまたケース体１１０と同じ材質から形成されていることが好ましい。
【００１９】
ケース体１１０の収納空間１１３は、薄板体１１２により閉塞して少なくとも２つの空間、すなわち、ゴルフボール５０を収める第１の収納空間１１３ａと、熱源を収める第２の収納空間１１３ｂとに区画されている（図３参照）。
【００２０】
薄板体１１２は、ケース体１１０の内径と同径あるいはそれより小径であり、ケース体１１０に強制的に嵌め込まれた後、その薄板体１１２の周縁部がケース体１１０の内周面と一体に溶接される。
【００２１】
薄板体１１２もまた、ケース体１１０及びケース蓋体１２０と同じ材質を用いることが好ましく、例えば、軽量で且つ伝熱性に優れた金属材質やアルミニウムを用いることが好ましい。
【００２２】
薄板体１１２は、平板状にも形成可能であるが、第１の収納空間１１３ａに収められるゴルフボール５０の表面に熱を満遍なく伝えるためには、ゴルフボール５０の形状に合うように半円状に形成することが好ましい。本態様においては、薄板体１１２が半円状に形成されている例について説明する。
【００２３】
半円状の薄板体１１２には多数の穴１１４が穿設されている。これは、薄板体１１２上の第１の収納空間１１３ａに収められるゴルフボール５０に、後述する熱供給装置１３０からの熱を一層良好に伝えるために設けられている。穴１１４の数には特に制限がなく、薄板体１１２の強度を損なわない範囲内であれば、任意の数に形成可能である。
【００２４】
熱供給装置１３０は、ケース体１１０のケース蓋体１２０とは反対となる第２の収納空間１１３ｂの下側の開口に脱着自在に取り付けられている。
【００２５】
熱供給装置１３０を設けることにより、ケース体１１０の収納空間１１３に熱を供給することができ、薄板体１１２上に位置するゴルフボール５０に柔軟性を持たせる弾力が保持可能な適正温度に加温すると共に、ケース体１１０にも熱を伝えてゴルファーの身体、例えば、手やポケットの内部に温熱を与えることができる。
【００２６】
すなわち、図４に示すように、熱供給装置１３０からの熱（６０〜７０℃）はケース体１１０の第２の収納空間１１３ｂと第１の収納空間１１３ａを経ながらケース体１１０を温め、このときの熱により薄板体１１２上に置かれているゴルフボール５０が温められ、ゴルフボール５０自体に柔軟性を持たせる弾力を保持することにより、ティーショット時におけるゴルフボールの飛距離を延ばすことが可能になる。
【００２７】
さらに、ケース体１１０の内部熱は、そのケース体１１０を介して外部に抜き出されるため、そのケース体１１０を把持するゴルファーの手を暖かく保温する。これは、寒い冬季の冷たい気温に晒されて招かれる感覚鈍化による手の打撃感の低下を無くすことにより、ティーショットの正確度を高めると共に、手の感覚鈍化によるゴルファーの怪我の恐れをなくし、その結果、ゴルファーの調子の向上に一助となる。ゴルファーに伝わる温度は、外部から熱を奪われる点を考慮に入れて３０〜３５℃にすれば、火傷などの恐れがないために好ましい。
【００２８】
熱供給装置１３０は、第１の燃料蓄積室１３１を備えている。
【００２９】
第１の燃料蓄積室１３１は、第２の収納空間１１３ｂの開口側に脱着自在に嵌着されるように、少なくとも第２の収納空間１１３ｂと同径あるいはそれより小径に形成された上部開口型の開口部１３２を有する筒体であり、その内部には吸収性に優れた木綿などよりなる燃料充填材１３３が設けられ、開口部１３２を介して液状の燃料（例えば、ガソリンなど）を注入することができる。
【００３０】
開口部１３２には、第１の炎ギャップ１３４が脱着自在に設けられている。
【００３１】
第１の炎ギャップ１３４は、上下及び側面の一部に開放部１３７を有するキャップ状で開口部１３２の上部に脱着自在に結合されることにより、第１の燃料蓄積室１３１の内部と連絡するように位置され、その内部には、燃料充填材１３３に満たされた燃料により生成されて供給される気化燃料を燃焼する芯体１３５が設けられている。
【００３２】
芯体１３５は、第１の炎ギャップ１３４に内設された固定枠１３６により遊動することなく固定されている。
【００３３】
また、芯体１３５は、例えば、石綿を塩化白金酸の溶液に含浸して得られた点火物を用いることができる。白金の触媒作用により炎を生じることなく第１の燃料蓄積室１３１から供給される燃料を完全燃焼して、長時間の使用にも人体に全く無害なものとすることができる。
【００３４】
燃焼ガスは、第２の収納空間１１３ｂの通孔１１５を介して抜き出される。また、燃焼を促す外気もこの通孔１１５を介して供給される。
【００３５】
このような燃焼作用をもつ芯体１３５は、燃料が含浸されている燃料充填材１３３とは一定の距離をあけて第１の燃料蓄積室１３１の開口部１３２に固着されるが、第１の燃料蓄積室１３１に満たされている燃料は、芯体１３５からの熱により気化して芯体１３５に供給され、その芯体１３５で完全燃焼する。芯体１３５により燃焼される熱が上記のように収納空間１１３に伝わることにより、ケース体１１０とゴルフボール５０を温める。
【００３６】
芯体１３５の消火は、第１の炎ギャップ１３４に脱着自在に結合される消火用キャップ１３８により行われる。消火に際しては、第１の燃料蓄積室１３１をケース体１１０の第２の収納空間１１３ｂから外した後、消火用キャップ１３８により消火を行い、逆に、点火に際しては、第１の燃料蓄積室１３１をケース体１１０の第２の収納空間１１３ｂから外した後、消火用キャップ１３８を開いて火を付け、さらに第１の燃料蓄積室１３１をケース体１１０の第２の収納空間１１３ｂと結合すれば良い。このとき、消火用キャップ１３８は、ユーザが別途に保管する。また、炎はほとんど見えないため、第１の燃料蓄積室１３１をケース体１１０から脱着するとき、ユーザに全く影響しない。
【００３７】
図５は、本発明の他の態様を図３と同一方向視で示す縦断面図であり、図６は、同図のＡ部拡大図である。図中、前記の態様と同一部分については、重複説明を避けるために同じ符号を付している。
【００３８】
本態様は、熱供給装置１４０を除いては、前記の態様と全く同様である。この態様における熱供給装置１４０は、第２の収納空間１１３ｂの開口側に脱着自在に嵌着される第２の燃料蓄積室１４１を備えている。
【００３９】
第２の燃料蓄積室１４１は、少なくとも第２の収納空間１１３ｂと同径あるいはそれより小径に形成された四方密閉型の筒体であり、その上部には、内部に満たされている液化ガスを排出するための排出弁１４２が、そしてその下部には、液化ガス充填弁１４３が設けられている。
【００４０】
さらに、第２の燃料蓄積室１４１の上部には、第２の炎ギャップ１４４が脱着自在に結合されている。
【００４１】
第２の炎ギャップ１４４は第２の燃料蓄積室１４１の外径と略同径に形成されることにより、第２の燃料蓄積室１４１とは外嵌により緊合される。その結果、第２の炎ギャップ１４４は、第２の燃料蓄積室１４１との強固な緊合状態を保持する。第２の燃料蓄積室１４１の上部に第２の炎ギャップ１４４が結合されると、第２の炎ギャップ１４４が第２の燃料蓄積室１４１の排出弁１４２を加圧し、これにより、排出弁１４２は素早く開かれる。また、この開かれた排出弁１４２を介して第２の燃料蓄積室１４１に満たされているガスが抜き出される。
【００４２】
第２の炎ギャップ１４４には多数の通孔１４５が穿設されているため、抜き出されたガスは通孔１４５を介して排出される。このとき、点火が行われると、排出ガスに火が付けられ、このガスの熱により前記態様のような保温作用を行う。
【００４３】
この点火は、第２の燃料蓄積室１４１をケース体１１０の第２の収納空間１１３ｂから外した状態で行った後、さらに第２の燃料蓄積室１４１をケース体１１０と結合することである。逆に、消火に際しては、第２の燃料蓄積室１４１をケース体１１０の第２の収納空間１１３ｂから外した後、第２の炎ギャップ１４４を第２の燃料蓄積室１４１から外すと、排出弁１４２の復帰により自動的に消火が行われる。その他の構成は前記態様と同様であるため、詳細な説明を省く。
【図面の簡単な説明】
【００４４】
【図１】本発明に係るゴルフボール保温ケースを示す外観斜視図
【図２】図１の分解斜視図
【図３】図１のＩ−Ｉ線縦断面図
【図４】本発明に係るゴルフボール保温ケースの作用状態図
【図５】本発明の他の態様を示す縦断面図である
【図６】図５のＡ部拡大図
【符号の説明】
【００４５】
５０：ゴルフボール
１００：携帯用ゴルフボールケース
１１０：ケース体
１１２：薄板体
１１３：収納空間
１１３ａ：第１の収納空間
１１３ｂ：第２の収納空間
１１４：穴
１１５：通孔
１２０：蓋体
１３０：熱供給装置
１３１：第１の燃料蓄積室
１３２：開口部
１３３：燃料充填材
１３４：第１の炎ギャップ
１３５：芯体
１３６：固定枠
１３７：開放部
１３８：消火用キャップ
１４０：熱供給装置
１４１：燃料蓄積室
１４２：排出弁
１４３：液化ガス充填弁
１４４：第２の炎ギャップ
１４５：通孔
【図１】
2007105448.tif 000003
【図２】
2007105448.tif 000004
【図３】
2007105448.tif 000005
【図４】
2007105448.tif 000006
【図５】
2007105448.tif 000007
【図６】
2007105448.tif 000008